(57)【要約】【課題】本編データの映像及び音声の同期再生を容易にするデータ制御装置、データバックアップ装置、及びプログラムを提供する。【解決手段】データ制御装置は、元の映像及び音声ファイルに含まれる素材データを、映像及び音声ファイル内での素材データの使用部分を示す編集情報に基づいて、使用部分と未使用部分とに分離し、使用部分のみを集めた第１のデータと未使用部分のみを集めた第２のデータとを生成する分離部（１０１）と、第１のデータ及び第２のデータについて、元の映像及び音声ファイル内での位置情報と外部記憶メディア上での位置情報とを関連付ける接続情報を生成する接続情報生成部（１０３）と、第１のデータ、第２のデータ、接続情報、及び編集情報を所定の順序に並べて、バックアップデータとして出力する書式整形部（１０５）と、を有する。【選択図】図１
2010049785.tif 000002
【特許請求の範囲】
【請求項１】
編集後の映像及び音声データのバックアップデータを生成するデータ制御装置であって、
編集元の映像及び音声ファイルに含まれる素材データと、前記元の映像及び音声ファイル内での前記素材データの使用部分を示す編集情報とを入力し、前記編集情報に基づいて前記素材データを使用部分と未使用部分とに分離し、使用部分のみを集めた第１のデータと未使用部分のみを集めた第２のデータとを生成する分離部と、
前記第１のデータ及び前記第２のデータについて、前記元の映像及び音声ファイル内での位置情報と外部記憶メディアに記録するときの外部記憶メディア上での位置情報とを関連付ける接続情報を生成する接続情報生成部と、
前記第１のデータ、前記第２のデータ、前記接続情報、及び前記編集情報を所定の順序に並べて、バックアップデータとして出力する書式整形部と、
を有する、データ制御装置。
【請求項２】
少なくとも前記第１のデータについて、映像及び音声データを細切れにして交互にインターリーブするＡＶインターリーブ部をさらに有する、
請求項１に記載のデータ制御装置。
【請求項３】
前記編集情報は、前記元の映像及び音声ファイル内での前記素材データの使用部分を時系列に示すものであり、
前記書式整形部は、前記第１のデータを構成する前記素材データの使用部分を前記編集情報により示される順番に従って並び替える、請求項１に記載のデータ制御装置。
【請求項４】
前記素材データの全てが使用部分であるとき、前記第２のデータを生成しない、請求項１に記載のデータ制御装置。
【請求項５】
外部記憶メディアから読み取られたバックアップデータから元の映像及び音声ファイルを復元するデータ制御装置であって、
前記外部記憶メディアには、元の映像及び音声ファイルに含まれる素材データの使用部分のみを集めた第１のデータと、前記素材データの未使用部分のみを集めた第２のデータと、前記元の映像及び音声ファイル内での前記素材データの使用部分を示す編集情報と、前記第１のデータ及び前記第２のデータについての前記元の映像及び音声ファイル内での位置情報と前記外部記憶メディア上での位置情報とを関連付ける接続情報と、を含むバックアップデータが記録されており、
前記外部記憶メディアから読み取られた前記バックアップデータを、前記第１のデータ、前記第２のデータ、前記編集情報、及び前記接続情報に分離する書式展開部と、
分離された前記接続情報を解読する接続情報解読部と、
解読された前記接続情報に基づいて、前記第１のデータ及び前記第２のデータに含まれる前記素材データの使用部分と未使用部分とを繋ぎ合わせて、元の映像及び音声ファイルを復元する復元部と、
を有する、データ制御装置。
【請求項６】
インターリーブされた映像及び音声データのデータ列を解読して、映像又は音声だけのデータに並べ替えるＡＶインターリーブ解読部をさらに有し、
前記第１のデータ及び／又は前記第２のデータがインターリーブされている場合、前記復元部は、前記ＡＶインターリーブ解読部によって並べ替えられた映像データ及び音声データに基づいて、元の映像及び音声ファイルを復元する、請求項５に記載のデータ制御装置。
【請求項７】
外部記憶メディアから読み取られたバックアップデータから映像及び音声を再生するデータ制御装置であって、
前記外部記憶メディアには、元の映像及び音声ファイルに含まれる素材データの使用部分のみを集めたインターリーブされた第１のデータと、前記素材データの未使用部分のみを集めた第２のデータと、前記元の映像及び音声ファイル内での前記素材データの使用部分を示す編集情報と、前記第１のデータ及び前記第２のデータについての前記元の映像及び音声ファイル内での位置情報と前記外部記憶メディア上での位置情報とを関連付ける接続情報と、を含むバックアップデータが記録されており、
前記外部記憶メディアから読み取られた前記バックアップデータを、前記第１のデータ、前記第２のデータ、前記編集情報、及び前記接続情報に分離する書式展開部と、
分離された前記第１のデータのデータ列を解読して、映像または音声だけのデータに並べ替えるＡＶインターリーブ解読部と、
前記ＡＶインターリーブ解読部から出力される映像データ及び音声データを同期的に再生出力する映像音声再生部と、
を有する、データ制御装置。
【請求項８】
編集後の映像及び音声データのバックアップデータを生成する、請求項１に記載のデータ制御装置と、
前記データ制御装置により生成された前記バックアップデータを同一の外部記憶メディアに記録するデータ記録装置と、
を備えた、データバックアップ装置。
【請求項９】
外部記憶メディアからバックアップデータを読み取るデータ読取装置と、
前記読み取られたバックアップデータから元の映像及び音声ファイルを復元する、請求項５に記載のデータ制御装置と、
を備えた、データバックアップ装置。
【請求項１０】
外部記憶メディアからバックアップデータを読み取るデータ読取装置と、
前記読み取られたバックアップデータから映像及び音声を再生する、請求項７に記載のデータ制御装置と、
を備えた、データバックアップ装置。
【請求項１１】
編集後の映像及び音声データのバックアップデータを生成するためのプログラムであって、
編集元の映像及び音声ファイルに含まれる素材データと、前記元の映像及び音声ファイル内での前記素材データの使用部分を示す編集情報とを入力し、前記編集情報に基づいて前記素材データを使用部分と未使用部分とに分離し、使用部分のみを集めた第１のデータと未使用部分のみを集めた第２のデータとを生成するステップと、
前記第１のデータ及び前記第２のデータについて、前記元の映像及び音声ファイル内での位置情報と外部記憶メディアに記録するときの外部記憶メディア上での位置情報とを関連付ける接続情報を生成するステップと、
前記第１のデータ、前記第２のデータ、前記接続情報、及び前記編集情報を所定の順序に並べて、バックアップデータとして出力するステップと、
をコンピュータに実行させるプログラム。
【請求項１２】
少なくとも前記第１のデータについて、映像及び音声データを細切れにして交互にインターリーブするステップをさらに含む、請求項１１に記載のプログラム。
【請求項１３】
前記編集情報は、前記元の映像及び音声ファイル内での前記素材データの使用部分を時系列に示すものであり、
前記バックアップデータとして出力するステップにおいて、前記第１のデータを構成する前記素材データの使用部分を前記編集情報により示される順番に従って並べる、請求項１１に記載のプログラム。
【請求項１４】
前記素材データの全てが使用部分であるとき、前記第２のデータを生成しない、請求項１１に記載のプログラム。
【請求項１５】
外部記憶メディアから読み取られたバックアップデータから元の映像及び音声ファイルを復元するためのプログラムであって、
前記外部記憶メディアには、元の映像及び音声ファイルに含まれる素材データの使用部分のみを集めた第１のデータと、前記素材データの未使用部分のみを集めた第２のデータと、前記元の映像及び音声ファイル内での前記素材データの使用部分を示す編集情報と、前記第１のデータ及び前記第２のデータについての前記元の映像及び音声ファイル内での位置情報と前記外部記憶メディア上での位置情報とを関連付ける接続情報と、を含むバックアップデータが記録されており、
前記外部記憶メディアから読み取られた前記バックアップデータを、前記第１のデータ、前記第２のデータ、前記編集情報、及び前記接続情報に分離するステップと、
分離された前記接続情報を解読するステップと、
解読された前記接続情報に基づいて、前記第１のデータ及び前記第２のデータに含まれる前記素材データの使用部分と未使用部分とを繋ぎ合わせて、元の映像及び音声ファイルを復元するステップと、
をコンピュータに実行させるプログラム。
【請求項１６】
インターリーブされた映像及び音声データのデータ列を解読して、映像又は音声だけのデータに並べ替えるステップをさらに含み、
前記第１のデータ及び／又は前記第２のデータがインターリーブされている場合、映像又は音声だけのデータに並べ替えられた映像データ及び音声データに基づいて、元の映像及び音声ファイルを復元する、請求項１５に記載のプログラム。
【請求項１７】
外部記憶メディアから読み取られたバックアップデータから映像及び音声を再生するためのプログラムであって、
前記外部記憶メディアには、元の映像及び音声ファイルに含まれる素材データの使用部分のみを集めたインターリーブされた第１のデータと、前記素材データの未使用部分のみを集めた第２のデータと、前記元の映像及び音声ファイル内での前記素材データの使用部分を示す編集情報と、前記第１のデータ及び前記第２のデータについての前記元の映像及び音声ファイル内での位置情報と前記外部記憶メディア上での位置情報とを関連付ける接続情報と、を含むバックアップデータが記録されており、
前記外部記憶メディアから読み取られた前記バックアップデータを、前記第１のデータ、前記第２のデータ、前記編集情報、及び前記接続情報に分離するステップと、
分離された前記第１のデータのデータ列を解読して、映像または音声だけのデータに並べ替えるステップと、
前記並び替えられた映像データ及び音声データを同期的に再生出力するステップと、
をコンピュータに実行させるプログラム。
【発明の詳細な説明】
【技術分野】
【０００１】
本発明は、編集後の映像及び音声データのバックアップデータを生成するデータ制御装置及びプログラム、並びにデータ制御装置を備え、生成したバックアップデータを記憶媒体に記録するデータバックアップ装置に関する。
【背景技術】
【０００２】
一般に、一つの番組は、番組の本編として使用されるデータの何倍もの長さを有する素材データから、使用される部分が抽出されることによって、制作されている。このとき、多くの映像及び音声の素材データから必要な部分だけを選び出して、順序良く、映像データと音声データを並べていく作業が必要となる。
【０００３】
従来、この作業はビデオテープレコーダ（ＶＴＲ）によるリニア編集によって行われていた。例えば、ある素材データの必要な部分を別の録画テープにダビングコピーし、その直後の位置に、別の素材データの必要な部分を続けてダビングコピーするという作業を繰り返すことによって、複数の素材データの必要な部分のみを一本の録画テープ上で繋ぎ合わせていた。このように、リニア編集では、編集した結果（以下、「本編データ」と呼ぶ。）が一本の録画テープに記録されていた。
【０００４】
近年、デジタル技術の進展により、従来から行われていたリニア編集に代わって、映像や音声をデジタルデータとして、ノンリニア編集機（例えば、コンピュータ）上で編集するノンリニア編集が普及してきている。ノンリニア編集では、一般に、ノンリニア編集機のハードディスクドライブ（ＨＤＤ）に、図８（ａ）及び（ｂ）に示すような素材データａ、ｂがデータファイルＦＶａ、ＦＡａ、ＦＶｂ、ＦＡｂとして格納されている。ノンリニア編集において、本編として使用される部分の抽出は、本編として使用する部分を示す編集情報を生成し及び書き換えることによって行われる。ＨＤＤのランダムアクセス性能は高いため、必ずしも図８（ｃ）に示すような本編データを生成してテープ等に保存する必要はない。そのため、本編データが生成されない場合に本編データを再生するときには、その都度、編集情報に従って、ＨＤＤから素材データａ、ｂの必要な部分Ｖａ、Ａａ、Ｖｂ、Ａｂを読み出すことにより、本編データが再生される。
【０００５】
ＨＤＤの記録容量には限りがあるため、他の番組を製作する場合、ＨＤＤ内の素材データを入れ替える必要が生じてくる。このとき、現在製作している番組を後から再生又は再編集することを可能にするために、現在ＨＤＤに格納されている素材データａ、ｂ及び編集情報は、図８（ｄ）に示すようなバックアップデータとして、データバックアップ装置によって、コンピュータのバックアップテープ等の外部記憶メディアに移される。従来のデータバックアップ装置は、ファイル単位でＨＤＤ上のデータを外部記憶メディアに書き出している（例えば、特許文献１参照）。
【先行技術文献】
【特許文献】
【０００６】
【特許文献１】特開２００１−６２７４号公報
【発明の概要】
【発明が解決しようとする課題】
【０００７】
従来のデータバックアップ装置はファイル単位で順番にデータを書き出すため、図８（ｄ）に示すように、外部記憶メディアに格納された素材データの使用部分Ａａ、Ｖａ、Ａｂ、Ｖｂは、未使用部分Ａａ−、Ａａ＋、Ｖａ−、Ｖａ＋、Ａｂ−、Ａｂ＋、Ｖｂ−、Ｖｂ＋の存在により、外部記憶メディア内の物理的に離れた位置に存在している。よって、音声ファイルＦＡａ、映像ファイルＦＶａ、音声ファイルＦＡｂ、映像ファイルＦＶｂ・・・のように、外部記憶メディアから順にファイルを読み出しても、ＶＴＲでの録画テープのように映像及び音声を同期再生することはできない。そのため、バックアップされた素材データを使用した本編データを再生するためには、外部記憶メディアに書き込まれたバックアップデータの全体をＨＤＤに読み込んで、編集情報に基づいて本編データを生成し再生しなければならない。
【０００８】
外部記憶メディアに格納された素材データの量が多ければ多いほど、ＨＤＤへのバックアップデータの読み込みには時間がかかる。よって、本編データの再生作業が容易にできないという問題があった。また、素材データはファイル単位で外部記憶メディアに格納されているため、未使用部分も含めて素材データの全てをＨＤＤに読み込まなければならない。そのため、十分な空き容量がＨＤＤに無い場合には、外部記憶メディアに格納された素材データの全てを読み込むことができず、本編データを再生できないという問題があった。このように、従来のデータバックアップ装置では、バックアップされた素材データを使用した番組を再生する場合に、ノンリニア編集機のＨＤＤに十分な空き容量が必要になるばかりでなく、外部記憶メディアからのデータの読み込みに多大な時間を費やすという問題があった。そのため、本編データの映像及び音声の同期再生が容易にできなかった。
【０００９】
本発明は、上記従来の問題を解決するものであって、本編データの映像及び音声の同期再生を容易にするデータバックアップ装置、データ制御装置、及びプログラムを提供することを目的とする。具体的には、バックアップされた素材データを使用した本編データを再生するときに、ノンリニア編集機のＨＤＤに十分な空き容量が必要にならず、且つ外部記憶メディアからのデータの読み込みに要する時間を低減するデータバックアップ装置、データ制御装置、及びプログラムを提供することを目的とする。データバックアップ装置としては、外部記憶メディアにバックアップデータを記録する記録装置と、その記録装置によって外部記憶メディアに記録されたバックアップデータから元の映像及び音声ファイルを復元し及び／又は外部記憶メディアに記録されたバックアップデータを読み出して映像及び音声を同期再生する再生装置が含まれる。
【課題を解決するための手段】
【００１０】
本発明の第１の態様のデータ制御装置は、編集後の映像及び音声データのバックアップデータを生成するデータ制御装置であって、編集元の映像及び音声ファイルに含まれる素材データと、元の映像及び音声ファイル内での素材データの使用部分を示す編集情報とを入力し、編集情報に基づいて素材データを使用部分と未使用部分とに分離し、使用部分のみを集めた第１のデータと未使用部分のみを集めた第２のデータとを生成する分離部と、第１のデータ及び第２のデータについて、元の映像及び音声ファイル内での位置情報と外部記憶メディアに記録するときの外部記憶メディア上での位置情報とを関連付ける接続情報を生成する接続情報生成部と、第１のデータ、第２のデータ、接続情報、及び編集情報を所定の順序に並べて、バックアップデータとして出力する書式整形部と、を有する。
【００１１】
上記データ制御装置は、少なくとも第１のデータについて、映像及び音声データを細切れにして交互にインターリーブするＡＶインターリーブ部をさらに有してもよい。
【００１２】
編集情報は、元の映像及び音声ファイル内での素材データの使用部分を時系列に示すものであるとき、書式整形部は、第１のデータを構成する素材データの使用部分を編集情報により示される順番に従って並び替えてもよい。
【００１３】
上記データ制御装置は、素材データの全てが使用部分であるとき、第２のデータを生成しなくてもよい。
【００１４】
本発明の第２の態様のデータ制御装置は、外部記憶メディアから読み取られたバックアップデータから元の映像及び音声ファイルを復元するデータ制御装置であって、外部記憶メディアには、元の映像及び音声ファイルに含まれる素材データの使用部分のみを集めた第１のデータと、素材データの未使用部分のみを集めた第２のデータと、元の映像及び音声ファイル内での素材データの使用部分を示す編集情報と、第１のデータ及び第２のデータについての元の映像及び音声ファイル内での位置情報と外部記憶メディア上での位置情報とを関連付ける接続情報と、を含むバックアップデータが記録されており、外部記憶メディアから読み取られたバックアップデータを、第１のデータ、第２のデータ、編集情報、及び接続情報に分離する書式展開部と、分離された接続情報を解読する接続情報解読部と、解読された接続情報に基づいて、第１のデータ及び第２のデータに含まれる素材データの使用部分と未使用部分とを繋ぎ合わせて、元の映像及び音声ファイルを復元する復元部と、を有する。
【００１５】
上記第２の態様のデータ制御装置は、インターリーブされた映像及び音声データのデータ列を解読して、映像又は音声だけのデータに並べ替えるＡＶインターリーブ解読部をさらに有し、第１のデータ及び／又は第２のデータがインターリーブされている場合、復元部は、ＡＶインターリーブ解読部によって並べ替えられた映像データ及び音声データに基づいて、元の映像及び音声ファイルを復元してもよい。
【００１６】
本発明の第３の態様のデータ制御装置は、外部記憶メディアから読み取られたバックアップデータから映像及び音声を再生するデータ制御装置であって、外部記憶メディアには、元の映像及び音声ファイルに含まれる素材データの使用部分のみを集めたインターリーブされた第１のデータと、素材データの未使用部分のみを集めた第２のデータと、元の映像及び音声ファイル内での素材データの使用部分を示す編集情報と、第１のデータ及び第２のデータについての元の映像及び音声ファイル内での位置情報と外部記憶メディア上での位置情報とを関連付ける接続情報と、を含むバックアップデータが記録されており、外部記憶メディアから読み取られたバックアップデータを、第１のデータ、第２のデータ、編集情報、及び接続情報に分離する書式展開部と、分離された第１のデータのデータ列を解読して、映像または音声だけのデータに並べ替えるＡＶインターリーブ解読部と、ＡＶインターリーブ解読部から出力される映像データ及び音声データを同期的に再生出力する映像音声再生部と、を有する。
【００１７】
本発明の第１の態様のデータバックアップ装置は、編集後の映像及び音声データのバックアップデータを生成する上記第１の態様のデータ制御装置と、上記第１の態様のデータ制御装置により生成されたバックアップデータを同一の外部記憶メディアに記録するデータ記録装置と、を備える。
【００１８】
本発明の第２の態様のデータバックアップ装置は、外部記憶メディアからバックアップデータを読み取るデータ読取装置と、読み取られたバックアップデータから元の映像及び音声ファイルを復元する上記第２の態様のデータ制御装置と、を備える。
【００１９】
本発明の第３の態様のデータバックアップ装置は、外部記憶メディアからバックアップデータを読み取るデータ読取装置と、読み取られたバックアップデータから映像及び音声を再生する上記第３の態様のデータ制御装置と、を備える。
【００２０】
本発明の第１の態様のプログラムは、編集後の映像及び音声データのバックアップデータを生成するためのプログラムであって、編集元の映像及び音声ファイルに含まれる素材データと、元の映像及び音声ファイル内での素材データの使用部分を示す編集情報とを入力し、編集情報に基づいて素材データを使用部分と未使用部分とに分離し、使用部分のみを集めた第１のデータと未使用部分のみを集めた第２のデータとを生成するステップと、第１のデータ及び第２のデータについて、元の映像及び音声ファイル内での位置情報と外部記憶メディアに記録するときの外部記憶メディア上での位置情報とを関連付ける接続情報を生成するステップと、第１のデータ、第２のデータ、接続情報、及び編集情報を所定の順序に並べて、バックアップデータとして出力するステップと、をコンピュータに実行させる。
【００２１】
上記プログラムは、少なくとも第１のデータについて、映像及び音声データを細切れにして交互にインターリーブするステップをさらにコンピュータに実行させてもよい。
【００２２】
編集情報が、元の映像及び音声ファイル内での素材データの使用部分を時系列に示すものであるとき、バックアップデータとして出力するステップにおいて、第１のデータを構成する素材データの使用部分を編集情報により示される順番に従って並べてもよい。
【００２３】
上記プログラムにおいて、素材データの全てが使用部分であるとき、第２のデータを生成しなくてもよい。
【００２４】
本発明の第２の態様のプログラムは、外部記憶メディアから読み取られたバックアップデータから元の映像及び音声ファイルを復元するためのプログラムであって、外部記憶メディアには、元の映像及び音声ファイルに含まれる素材データの使用部分のみを集めた第１のデータと、素材データの未使用部分のみを集めた第２のデータと、元の映像及び音声ファイル内での素材データの使用部分を示す編集情報と、第１のデータ及び第２のデータについての元の映像及び音声ファイル内での位置情報と外部記憶メディア上での位置情報とを関連付ける接続情報と、を含むバックアップデータが記録されており、外部記憶メディアから読み取られたバックアップデータを、第１のデータ、第２のデータ、編集情報、及び接続情報に分離するステップと、分離された接続情報を解読するステップと、解読された接続情報に基づいて、第１のデータ及び第２のデータに含まれる素材データの使用部分と未使用部分とを繋ぎ合わせて、元の映像及び音声ファイルを復元するステップと、をコンピュータに実行させる。
【００２５】
本発明の第２の態様のプログラムは、インターリーブされた映像及び音声データのデータ列を解読して、映像又は音声だけのデータに並べ替えるステップをさらにコンピュータに実行させ、第１のデータ及び／又は第２のデータがインターリーブされている場合、映像又は音声だけのデータに並べ替えられた映像データ及び音声データに基づいて、元の映像及び音声ファイルを復元してもよい。
【００２６】
本発明の第３の態様のプログラムは、外部記憶メディアから読み取られたバックアップデータから映像及び音声を再生するためのプログラムであって、外部記憶メディアには、元の映像及び音声ファイルに含まれる素材データの使用部分のみを集めたインターリーブされた第１のデータと、素材データの未使用部分のみを集めた第２のデータと、元の映像及び音声ファイル内での素材データの使用部分を示す編集情報と、第１のデータ及び第２のデータについての元の映像及び音声ファイル内での位置情報と外部記憶メディア上での位置情報とを関連付ける接続情報と、を含むバックアップデータが記録されており、外部記憶メディアから読み取られたバックアップデータを、第１のデータ、第２のデータ、編集情報、及び接続情報に分離するステップと、分離された第１のデータのデータ列を解読して、映像または音声だけのデータに並べ替えるステップと、並び替えられた映像データ及び音声データを同期的に再生出力するステップと、をコンピュータに実行させる。
【発明の効果】
【００２７】
本発明によれば、映像及び音声ファイルに含まれる素材データの使用部分と未使用部分とを、使用部分を示す編集情報に基づいて分離し、使用部分のみを集めた使用データを外部記憶メディアに記録しているため、使用データのみを読み出すだけで、データバックアップ装置でバックアップされた素材データを使用した本編データを生成し再生することが可能となる。そのため、ノンリニア編集機のＨＤＤに十分な空き容量が必要にならず、且つ外部記憶メディアからのデータの読み込みに要する時間を低減することが可能となる。よって、本編データの映像及び音声の同期再生が容易になる。
【００２８】
また、本発明によれば、使用データだけでなく、未使用部分のみを集めた未使用データを外部記憶メディアに記録している。さらに、使用データと未使用データの両方について、元の映像及び音声ファイル内での素材データの位置情報と外部記憶メディア上での素材データの位置情報とを関連付ける接続情報を生成し、生成した接続情報を外部記憶メディアに記録している。よって、外部記憶メディアから、使用データ、未使用データ、及び接続情報を読み出すことによって、元の映像及び音声ファイルを復元することができる。
【図面の簡単な説明】
【００２９】
【図１】本発明の実施形態１のデータバックアップ装置の構成を示す図
【図２】素材データの構成を示す図
【図３】編集情報の構成を示す図
【図４】使用データと未使用データとを示す図
【図５】接続情報の構成を示す例
【図６】バックアップデータの構成を示す図
【図７】本発明の実施形態２のデータバックアップ装置の構成を示す図
【図８】素材データ、本編データ、及び従来のバックアップデータの構成を示す図
【発明を実施するための形態】
【００３０】
以下、図面を参照して、本発明の実施形態について説明する。
【００３１】
《実施形態１》
１．  構成
１．１  データバックアップ装置の構成
図１に、本発明の実施形態１のデータバックアップ装置を示す。本実施形態におけるデータバックアップ装置１は、映像及び／又は音声データである素材データを読み込んで、読み込んだ素材データを外部記憶メディアにバックアップする記録装置である。データバックアップ装置１は、番組などを編集するノンリニア編集機（例えば、コンピュータ）に接続されて使用される。本実施形態において、外部記憶メディアには、コンピュータのバックアップテープが用いられる。
【００３２】
本実施形態のデータバックアップ装置１は、編集後の映像及び音声データのバックアップデータを生成するバックアップデータ生成装置（データ制御装置）１００と、生成されたバックアップデータを外部記憶メディアに記録するデータ記録装置（例えば、テープドライブ）１０６と、を有する。バックアップデータ生成装置１００は、素材データを扱うための本編使用部分分離部１０１及びＡＶインターリーブ部１０２と、素材データに関連する情報を扱うための接続情報生成部１０３及び編集情報加工部１０４と、バックアップ用にデータを整形して出力する書式整形部１０５と、を有する。
【００３３】
本編使用部分分離部１０１は、映像及び音声ファイルに含まれる映像及び音声データである素材データと、番組の本編として使用される素材データの使用部分を示す編集情報と、を入力し、編集情報に従って、素材データを使用部分と未使用部分とに分離する。分離したデータのうち、使用部分をＡＶインターリーブ部１０２に出力し、未使用部分を書式整形部１０５に出力する。ＡＶインターリーブ部１０２は、素材データの使用部分における映像及び音声データを細切れにして交互にインターリーブし、インターリーブしたデータを本編データとして、書式整形部１０５に出力する。
【００３４】
編集情報加工部１０４は、番組の本編として使用される素材データの使用部分を示す編集情報を入力し、入力した編集情報を所定の形式に変更して、書式整形部１０５に出力する。接続情報生成部１０３は、映像及び音声ファイル内での素材データの位置を示す素材情報と編集情報とを入力し、バックアップテープに記録したバックアップデータから元の映像ファイル及び音声ファイルを復元することを可能にするための接続情報を生成し、生成した接続情報を書式整形部１０５に出力する。
【００３５】
書式整形部１０５は、本編データと未使用データと編集情報と接続情報を受け取り、それらを所定の順番に並べて、バックアップデータとして、データ記録装置１０６に出力する。このとき、本編データは、編集情報に従った順番で並べられる。データ記録装置１０６は、受けとったバックアップデータをバックアップテープに記録する。
【００３６】
１．２  各種データ／情報の構成
バックアップデータに含まれる素材データ（本編データ及び未使用データ）、編集情報、及び接続情報について、以下に説明する。
【００３７】
図２に、バックアップ元の素材データを示す。図２（ａ）は素材データａを示し、図２（ｂ）は素材データｂを示している。素材データａは、映像ファイルＦＶａ及び音声ファイルＦＡａに含まれる映像データ及び音声データである。後述するように、本実施形態において、映像ファイルＦＶａと音声ファイルＦＡａのうち、時刻Ｔａ（１）〜時刻Ｔａ（２）のデータＶａ、Ａａが本編で使用される部分であり、時刻Ｔａ（０）〜時刻Ｔａ（１）のデータＶａ−、Ａａ−と時刻Ｔａ（２）〜時刻Ｔａ（３）のデータＶａ＋、Ａａ＋が本編で使用されない部分である。素材データｂは、映像ファイルＦＶｂ及び音声ファイルＦＡｂに含まれる映像データ及び音声データである。映像ファイルＦＶｂと音声ファイルＦＡｂのうち、時刻Ｔｂ（１）〜時刻Ｔｂ（２）のデータＶｂ、Ａｂが使用部分であり、時刻Ｔｂ（０）〜時刻Ｔｂ（１）のデータＶｂ−、Ａｂ−と時刻Ｔｂ（２）〜時刻Ｔｂ（３）のデータＶｂ＋、Ａｂ＋が未使用部分である。
【００３８】
図３に、データバックアップ装置１に入力される編集情報を示す。編集情報は、素材データａ、ｂの本編で使用されている部分について、元のファイル上での時刻と、編集結果である本編データ上での時刻とを、時系列で保持する。例えば、素材データａの元のファイル上での時刻Ｔａ（１）〜Ｔａ（２）のデータが、本編データ上での時刻Ｔｃ（０）〜Ｔｃ（１）のデータに対応することを示し、素材データｂの元のファイル上での時刻Ｔｂ（１）〜Ｔｂ（２）のデータが本編データ上での時刻Ｔｃ（１）〜Ｔｃ（２）のデータに対応することを示している。図３から、本編データは、素材データａの時刻Ｔａ（１）〜Ｔａ（２）に対応するデータと素材データｂの時刻Ｔｂ（１）〜Ｔｂ（２）に対応するデータを時系列に繋ぐことにより、生成されることが分かる。すなわち、編集情報は、本編としての使用部分に関する、複数の素材データａ、ｂ間の接続関係を示している。このように、本編データは、素材データａと素材データｂをカット編集で繋ぐことにより生成される。
【００３９】
図４（ａ）に編集情報に従って分離された素材データの使用部分を集めた使用データを示し、図４（ｂ）に素材データの未使用部分を集めた未使用データを示す。編集情報に従って分離された使用データは、素材データの使用部分Ｖａ、Ａａ、Ｖｂ、Ａｂを含む。本編データは、使用データがさらに細切れにされて、音声データと映像データが交互に配置されたものである。編集情報に従って分離された未使用データは、素材データの未使用部分Ｖａ−、Ａａ−、Ｖａ＋、Ａａ＋、Ｖｂ−、Ａｂ−、Ｖｂ＋、Ａｂ＋を含む。
【００４０】
図５に、接続情報生成部１０３により生成される接続情報を示す。接続情報は、バックアップテープ上でどの位置のデータをどの順番に接続すると、元の映像及び音声ファイルを復元できるかを示すものである。すなわち、接続情報は、各素材データａ、ｂにおける、使用部分と未使用部分との接続関係を示している。具体的には、接続情報は、元の映像及び音声ファイル内での素材データａ、ｂの位置情報とバックアップテープ上での素材データａ、ｂの位置情報との対応関係を、素材データ上での時刻Ｔａ、Ｔｂとバックアップテープ上での時刻Ｔｄを用いて示している。図５では、素材データａに関して、元の映像及び音声ファイル上での時刻Ｔａ（０）〜Ｔａ（１）、Ｔａ（１）〜Ｔａ（２）、Ｔａ（２）〜Ｔａ（３）のデータは、それぞれ、バックアップテープ上での時刻Ｔｄ（３）〜Ｔｄ（４）、Ｔｄ（１）〜Ｔｄ（２）、Ｔｄ（４）〜Ｔｄ（５）のデータに対応していることを示している。すなわち、素材データａについての元の映像及び音声ファイルは、バックアップ上での時刻Ｔｄ（３）〜（４）、Ｔｄ（１）〜（２）、Ｔｄ（４）〜（５）の順にデータをつなぐことにより復元できることが分かる。また、素材データｂに関して、元の映像及び音声ファイル上での時刻Ｔｂ（０）〜Ｔｂ（１）、Ｔｂ（１）〜Ｔｂ（２）、Ｔｂ（２）〜Ｔｂ（３）のデータは、それぞれ、バックアップテープ上での時刻Ｔｄ（５）〜Ｔｄ（６）、Ｔｄ（２）〜Ｔｄ（３）、Ｔｄ（６）〜Ｔｄ（７）のデータに対応していることを示している。素材データｂについての元の映像及び音声ファイルは、バックアップ上での時刻Ｔｄ（５）〜（６）、Ｔｄ（２）〜（３）、Ｔｄ（６）〜（７）の順にデータをつなぐことにより復元できることが分かる。
【００４１】
図６に、バックアップデータを示す。バックアップデータは、図３に示す編集情報と、図４に示す本編データ及び未使用データと、図５に示す接続情報とを、この順番で含む。
【００４２】
２．  データバックアップ装置の記録動作
本実施形態のデータバックアップ装置１の記録動作について、図１〜図６を参照して、素材データａと素材データｂをバックアップする場合を例にして説明する。バックアップテープがデータバックアップ装置１に装着され、データのバックアップの指示がユーザにより入力されると、本編使用部分分離部１０１は、図２に示す映像ファイルＦＶａ及び音声ファイルＦＡａに含まれる素材データａと映像ファイルＦＶｂ及び音声ファイルＦＡｂに含まれる素材データｂと、図３に示す編集情報とを、ノンリニア編集機のＨＤＤから読み出す。
【００４３】
本編使用部分分離部１０１は、読み出した編集情報に従って、素材データａ及び素材データｂを、使用部分のみを集めた使用データと未使用部分のみを集めた未使用データとに分離する。具体的には、編集情報に記載されている素材データａのファイル上の時刻Ｔａ（１）〜Ｔａ（２）に対応するデータＶａ、Ａａと素材データｂのファイル上の時刻Ｔｂ（１）〜Ｔｂ（２）のデータＶｂ、Ａｂとを抽出して使用データを生成し、残りのデータを集めて未使用データを生成する。使用データはＡＶインターリーブ部１０２に出力され、未使用データは書式整形部１０５に出力される。
【００４４】
ＡＶインターリーブ部１０２は、図４（ａ）に示すように、使用データを細切れに分割して交互に並べ替えて、本編データを生成する。例えば、映像データＶａはデータＶａ０とＶａ１、音声データＡａはデータＡａ０とＡａ１に分離される。このようにして分離されたデータは、Ａａ０、Ｖａ０、Ａａ１、Ｖａ１のように、音声データと映像データが交互の順になるように並べ替えられる。細切れにするデータサイズをバックアップメディアのデータ管理単位（セクタ又はクラスタ等）に合わせることで最大の記録効率及び再生効率を得ることができる。本編データは、書式整形部１０５に出力される。
【００４５】
データバックアップ装置１に入力された編集情報は、編集情報加工部１０４により、バックアップテープ用のフォーマットに変換される。例えば、編集情報加工部１０４は、ノンリニア編集機用のフォーマット（例えば、ファイル形式）で生成されている編集情報をコンピュータのバックアップテープ用のフォーマットに変換する。
【００４６】
接続情報生成部１０３は、映像及び音声ファイル内での素材データａ、ｂの位置を示す素材情報と、編集情報を入力し、図５に示すように映像及び音声ファイル内での素材データａ、ｂの位置とバックアップテープに記録するときのバックアップテープ上での素材データａ、ｂの位置とを関連付ける接続情報を生成する。
【００４７】
書式整形部１０５は、本編データ、未使用データ、編集情報、及び接続情報を受け取って、これらの順序を、編集情報、本編データ、未使用データ、接続情報の順に並べる。また、本編データについては、編集情報に基づいて、先に再生される素材データａのデータＡａ０、Ｖａ０、Ａａ１、Ｖａ１を先に配置し、続いて素材データｂのデータＡｂ０、Ｖｂ０、Ａｂ１、Ｖｂ１を配置するように並べる。書式整形部１０５は、本編データ、未使用データ、編集情報、及び接続情報の書式を所望の形式（例えば、ＬＴＯ−３）に整えて、図６に示すバックアップデータとして出力する。
【００４８】
データ記録装置１０６は、書式整形部１０５から出力されるバックアップデータをバックアップテープに記録する。
【００４９】
３．  まとめ
本実施形態のデータバックアップ装置１は、素材データａ、ｂの使用部分と未使用部分とを編集情報に基づいて分離し、使用部分のみを集めた使用データを生成している。さらに、使用データをインターリーブして本編データを生成しバックアップテープに記録している。よって、本編データを再生する際、ＶＴＲのようなリニア編集で記録された録画テープと同様に、バックアップテープから直接的に本編データを同期再生することが可能となる。すなわち、編集情報に基づいて本編データを生成し再生するために、編集情報と使用データとをノンリニア編集機のＨＤＤに読み込む必要はない。よって、本編データの映像及び音声の同期再生が容易にできる。バックアップテープに記録された本編データを再生する際に、ノンリニア編集機のＨＤＤに空き容量が必要にならず、且つ外部記憶メディアからのデータの読み込みに要する時間を削減することが可能となる。
【００５０】
また、本実施形態は、本編データに加えて未使用データと接続情報をバックアップテープに格納している。よって、バックアップテープに記録された本編データ、未使用データ、及び接続情報を読み出して、バックアップテープに記録された素材データの使用部分と未使用部分とを接続情報に基づいて並び替えることにより、元の全ての素材データａ、ｂをファイル単位で完全にノンリニア編集機のＨＤＤ上に復元することができる。よって、本実施形態のバックアップ装置によって記録されたバックアップテープを用いれば、本編データを再編集することが可能となる。
【００５１】
以上のように、本実施形態のようにバックアップデータを記録すれば、素材データの完全なデータバックアップと、本編の映像及び音声の同期再生とを両立することができる。これにより、ＶＴＲのような操作性とバックアップの信頼性によって、編集作業の大幅な省力化を実現できる。
【００５２】
なお、本実施形態においては、バックアップデータを、編集情報、本編データ、未使用データ、及び接続情報の順でバックアップテープに記録したが、この記録順序は本実施形態に限定しない。但し、本編データはバックアップテープ上での早い時刻に対応する位置に記録することが好ましい。
【００５３】
なお、本編データをインターリーブせずにバックアップテープに記録してもよい。この場合、本編データを再生するには、使用データのみをノンリニア編集機のＨＤＤに読み出して、使用データについてインターリーブの処理を行うだけでよい。これによって、本編データを生成し再生することが可能となる。従来のように、バックアップテープに格納されている未使用データを含む全データを読み出す必要がないため、短時間で本編データを再生することが可能となる。また、使用データのみを読み出すだけであるため、ノンリニア編集機のＨＤＤの空き容量が少なくても、再生に必要なデータを読み出すことが可能となる。
【００５４】
なお、データバックアップ装置１によって加工される編集情報や生成される接続情報の構成は、本実施形態に限らない。同一の効果が得られる類似のデータ構造であっても構わない。
【００５５】
《実施形態２》
１．  データバックアップ装置の構成
図７に、本発明の実施形態２のデータバックアップ装置の構成を示す。本実施形態におけるデータバックアップ装置７は、外部記憶メディアに記録されたバックアップデータを読み出して、映像及び音声を同期再生すると共に、元の映像及び音声ファイルを復元する、再生装置である。データバックアップ装置７は、番組などを編集するノンリニア編集機（例えば、コンピュータ）に接続されて使用される。本実施形態において、外部記憶メディアには、コンピュータのバックアップテープが用いられる。
【００５６】
本実施形態のデータバックアップ装置７は、バックアップテープに記録されたバックアップデータを読み出すデータ読取装置（例えば、テープドライブ）７０１と、読み取られたバックアップデータから映像及び音声を同期再生すると共に、元の映像及び音声ファイルを復元するデータ再生復元装置（データ制御装置）７００とを有する。データ再生復元装置７００は、データ読取装置７０１によりバックアップテープから読み出されたデータを入力して、そのデータの並びを展開するための書式展開部７０２と、映像及び音声を同期再生するためのＡＶインターリーブ解読部７０３及び映像音声再生部７０８と、元の映像及び音声ファイルを復元するための接続情報解読部７０４及び素材ファイル復元部７０７と、編集情報ファイルを生成するための編集情報解読部７０５及び編集情報ファイル生成部７０６と、を有する。
【００５７】
データ読取装置７０１は、バックアップテープからバックアップデータを読み出す。書式展開部７０２は、読み出されたバックアップデータを入力して、そのバックアップデータの書式を展開し、本編データ、未使用データ、接続情報、及び編集情報に分離する。ＡＶインターリーブ解読部７０３は、インターリーブされている映像及び音声データのデータ列を解読し、映像のみのデータと音声のみのデータとに分離する。映像音声再生部７０８は、映像のみのデータ及び音声のみのデータを時系列につないで映像及び音声を同期再生する。
【００５８】
接続情報解読部７０４は、書式展開部７０２によって分離された接続情報を解読する。すなわち、接続情報の意味を解釈する。素材ファイル復元部７０７は、ＡＶインターリーブ解読部７０３から出力される使用データと、書式展開部７０２から出力される未使用データとを、解読された接続情報によって繋ぎ合わせ、元の映像ファイルと音声ファイルを復元する。
【００５９】
編集情報解読部７０５は、書式展開部７０２により分離された編集情報を解読する。すなわち、編集情報の意味を解釈する。編集情報ファイル生成部７０６は、解読された編集情報を所定の形式に変換して、編集情報ファイルを生成する。
【００６０】
２．  データバックアップ装置の再生動作
データバックアップ装置７の再生動作について、図６に示すバックアップデータを再生する場合を例にして説明する。再生動作には、外部記憶メディアに記録されたバックアップデータを読み出して、映像及び音声を同期再生する動作と、元の映像及び音声ファイルを復元する動作が含まれる。
【００６１】
まず、映像及び音声を同期再生する場合について説明する。データバックアップ装置７にバックアップテープが装着され、映像及び音声の同期再生の指示がユーザにより入力されると、データ読取装置７０１は、バックアップテープに記録されたバックアップデータを読み取る。この場合、少なくとも本編データを含む部分を読み取る。例えば、図６に示すバックアップテープの先頭部分から読み出す。書式展開部７０２は、読み取られたバックアップデータから本編データを抽出し出力する。例えば、先頭から読み出されたデータを、編集情報と本編データに振り分ける。
【００６２】
書式展開部７０２により振り分けられた本編データはＡＶインターリーブ解読部７０３に出力される。本編データの映像及び音声は、それぞれ細切れに分割されて交互にインターリーブされている。ＡＶインターリーブ解読部７０３は、本編データのデータ列を解読して、映像のみのデータＶａ、Ｖｂと音声のみのデータＡａ、Ａｂに並び替える。映像音声再生部７０８は、並び替えられた映像および音声のデータを同期的に再生出力する。これにより、モニタＴＶなどで本編データの内容の確認が可能となる。
【００６３】
次に、元の映像及び音声ファイルを復元する場合について説明する。データバックアップ装置７にバックアップテープが装着され、映像及び音声ファイルの復元の指示がユーザにより入力されると、データ読取装置７０１は、バックアップテープに記録されたバックアップデータを全て読み取る。書式展開部７０２は、読み取られたバックアップデータの並びを展開し、本編データ、未使用データ、接続情報、及び編集情報に振り分ける。
【００６４】
ＡＶインターリーブ解読部７０３は、書式展開部７０２により振り分けられた本編データを映像のみのデータＶａ、Ｖｂと音声のみのデータＡａ、Ａｂに並び替える。
【００６５】
接続情報解読部７０４は、書式展開部７０２により振り分けられた接続情報を解読する。素材ファイル復元部７０７は、書式展開部７０２により振り分けられた未使用映像データＶａ−、Ｖａ＋、未使用音声データＡａ−、Ａａ＋、ＡＶインターリーブ解読部７０３から出力される使用映像データＶａ、Ｖｂ、使用音声データＡａ、Ａｂと、接続情報解読部７０４によって解読された接続情報を読み込む。素材ファイル復元部７０７は、解読された接続情報に従って、使用映像データと未使用映像データとを繋ぎ合わせ、且つ使用音声データと未使用音声データを繋ぎ合わせて、素材データａ、ｂの元の映像ファイルＦＶａ、ＦＶｂおよび音声ファイルＦＡａ、ＦＡｂをそれぞれ復元する。具体的には、接続情報に従って、時刻Ｔｄ（３）〜Ｔｄ（４）、Ｔｄ（１）〜Ｔｄ（２）、Ｔｄ（４）〜Ｔｄ（５）に対応する位置のデータをこの順番で繋ぎ合わせることで、素材データａの映像ファイルＦＶａ及び音声ファイルＦＡａをそれぞれ復元する。また、接続情報に従って、時刻Ｔｄ（５）〜Ｔｄ（６）、Ｔｄ（２）〜Ｔｄ（３）、Ｔｄ（６）〜Ｔｄ（７）に対応する位置のデータをこの順で繋ぎ合わせることで、素材データｂの映像ファイルＦＶｂ及び音声ファイルＦＡｂを復元する。復元された映像及び音声ファイルは、ノンリニア編集機のＨＤＤに格納される。これにより、本編データの再編集が可能となる。
【００６６】
編集情報解読部７０５は、書式展開部７０２により振り分けられた編集情報を解読する。編集情報ファイル生成部７０６は、解読された編集情報からノンリニア編集機に応じたフォーマットで編集情報ファイルを生成する。生成された編集情報ファイルは、ノンリニア編集機のＨＤＤに格納される。使用部分と未使用部分との間の編集点を変更する場合などの再編集は、ＨＤＤに格納された編集情報ファイルを書き換えることによって行われる。
【００６７】
３．  まとめ
本実施形態のバックアップ装置が読み込むバックアップテープには、本編データがインターリーブされて記録されているため、ＨＤＤに本編データを読み込むことなく、バックアップテープから直接的に本編データの映像及び音声を同期再生して出力することが可能となる。よって、容易に、本編データの内容を確認することができる。
【００６８】
本実施形態のバックアップ装置が読み込むバックアップテープには、本編データ（使用データ）に加えて、未使用データと接続情報が格納されている。よって、接続情報に基づいて、使用データと未使用データを並び替えて元の映像及び音声ファイルを完全に復元することができる。また、バックアップテープに記録された編集情報から、編集情報ファイルを生成することが可能となる。よって、生成した編集情報ファイルと復元した映像及び音声ファイルとをノンリニア編集機ＨＤＤ上に戻すことにより、本編データの再編集を行うことが可能となる。
【００６９】
なお、実施形態１及び実施形態２では、外部記憶メディアがコンピュータのバックアップテープの例で説明したが、外部記憶メディアはテープに限定しない。バックアップに使用できるメディアであればどのメディアであってもよい。なお、テープやネットワーク通信などデータが一次元的に読み出されるような場合に、特に本発明の効果が発揮される。
【００７０】
なお、実施形態１及び実施形態２において、素材データの使用部分を集めた使用データだけでなく、未使用部分を集めた未使用データについてもインターリーブされてもよい。
【００７１】
なお、再生装置としてのデータバックアップ装置７は、映像音声を同期再生する機能と、素材ファイルを復元する機能のいずれか一方のみを有しても良い。
【００７２】
なお、データバックアップ装置１、７について、実施形態１では記録装置として、実施形態２では再生装置として説明したが、一つのデータバックアップ装置が実施形態１の記録装置と実施形態２の再生装置の両方の機能を併せ持っても良い。
【００７３】
また、実施形態１及び実施形態２では、データバックアップ装置１、７はノンリニア編集機と別体であったが、データバックアップ装置はノンリニア編集機に組み込まれてもよい。
【００７４】
上記実施形態１及び上記実施形態２においては、素材データに未使用部分がある場合（すなわち、未使用部分を集めた未使用データが存在する場合）について説明したが、本発明は未使用データがない場合（すなわち、素材データの全てが本編として使用されている場合）にも適用できる。この場合、図６に示す、データバックアップ装置１により生成されるバックアップデータは、未使用データを含まない。なお、このとき、接続情報はバックアップデータに含まれなくても良いし、素材データの未使用部分がないことを示す接続情報がバックアップデータに含められてもよい。また、バックアップデータから元の映像及び音声ファイルを復元する場合、実施形態２のデータバックアップ装置７の素材ファイル復元部７０７は、ＡＶインターリーブ解読部７０３から出力される使用映像データと使用音声データをそのまま時系列に繋ぎ合わせることにより映像ファイル及び音声ファイルを復元できる。このとき、バックアップデータに未使用データが存在しないこと、バックアップデータに接続情報が含まれていないこと、又はバックアップデータに含まれる接続情報が素材データの未使用部分がないことを示していることに基づいて、素材ファイル復元部７０７は素材データに未使用部分が存在しないと判断し、使用映像データと使用音声データのみから映像ファイル及び音声ファイルを復元すればよい。
【００７５】
上記実施形態１のバックアップデータ生成装置（データ制御装置）１００と上記実施形態２のデータ再生復元装置（データ制御装置）７００の機能（動作）は、コンピュータが所定のプログラムを実行することにより実現することも可能である。
【産業上の利用可能性】
【００７６】
本発明のデータバックアップ装置によれば、本編データの映像及び音声の同期再生を容易にできるという効果を有し、素材データをバックアップする装置としてだけでなく、本編データを記録する装置としても有用である。
【符号の説明】
【００７７】
１、７    データバックアップ装置
１００    バックアップデータ生成装置
１０１    本編使用部分分離部
１０２    ＡＶインターリーブ部
１０３    接続情報生成部
１０４    編集情報加工部
１０５    書式整形部
１０６    データ記録装置
７００    データ再生復元装置
７０１    データ読取装置
７０２    書式展開部
７０３    ＡＶインターリーブ解読部
７０４    接続情報解読部
７０５    編集情報解読部
７０６    編集情報ファイル生成部
７０７    素材ファイル復元部
７０８    映像音声再生部
【図１】
2010049785.tif 000003
【図２】
2010049785.tif 000004
【図３】
2010049785.tif 000005
【図４】
2010049785.tif 000006
【図５】
2010049785.tif 000007
【図６】
2010049785.tif 000008
【図７】
2010049785.tif 000009
【図８】
2010049785.tif 000010